(57)【要約】【課題】  噴霧器から噴霧された内容液を所定の箇所に無駄なく、確実に付着させることができるフードを提供する。【解決手段】  噴霧器１１のノズルヘッド１２に外嵌組付きする基端開口部２から先端開口部３に向かってラッパ状に拡径したフード部１０と、先端開口部３に設けた挟持部４とからフード１を構成し、挟持部４に薄片を挟持可能とした。  これにより、挟持部４に薄片を挟持させて噴霧し、無駄なく、かつ確実に内容液を薄片の所定箇所に噴霧できる。【選択図】図２
2005279407.tif 000002
【特許請求の範囲】
【請求項１】
噴霧器（１１）のノズルヘッド（１２）に外嵌組付きする取付部（９）と、取付部（９）から先端開口部（３）に向かってラッパ状に拡径するフード部と、ノズルヘッドの前方にて薄片を移動可能に挟持する挟持部（４）と、から構成した噴霧器用フード。
【請求項２】
挟持部（４）に、先端開口部（３）の前面に位置する開口窓（８）を設け、開口窓（８）を通してノズルヘッド（１２）からの噴霧液を噴霧可能とした請求項１記載の噴霧器用フード。
【請求項３】
先端開口部（３）の周囲に設けられた第一押え板（５）の前面に、開口窓（８）を有する第二押え板（６）を設け、前記第一押え板（５）と前記第二押え板（６）との間にガイド溝を設けた請求項２記載の噴霧器用フード。
【請求項４】
挟持部（４）を噴霧器（１１）に対して回動自在に設けた請求項１〜３のいずれか１項に記載の噴霧器用フード。
【発明の詳細な説明】
【技術分野】
【０００１】
本発明は、噴霧器、特にはトリガー式噴霧器に装着して、シャツの襟部分など薄片の縁部に沿って内容液を噴霧するに好適な噴霧器用フードに関するものである。
【背景技術】
【０００２】
噴霧器のノズルヘッドの外周に、基部にノズルヘッドの外周を嵌合する嵌合開口を形成し、先端に所定の大きさ、形状に形成した開口を設けてなる噴霧範囲を規整する案内筒（フード）を、嵌合開口を以って噴霧器のノズルヘッドに着脱自在に取り付けることができるようにしたものが知られている。
【０００３】
【特許文献１】特開２００４−０３４００６号公報
【０００４】
この特許文献１に記載の発明にあっては、構造が簡単であり、噴霧対象箇所、噴霧対象物体になるべく多くの霧を散布でき、噴霧対象箇所、噴霧対象物体以外の周囲には余分な霧の吹き付けを制限できる、という効果を発揮する。
【発明の開示】
【発明が解決しようとする課題】
【０００５】
しかしながら、特許文献１に開示された従来技術にあっては、ノズルヘッドと噴霧対象までの間隔を一定に保持して噴霧することが難しく、間隔に変動が生じて噴霧濃度にむらが生じることがある。また、シャツの襟部分など縁部に沿って移動させることが難しく、縁から離れてしまい縁に液が噴霧されなかったり、逆に縁に近寄り過ぎて縁以外の部分に噴霧液がはみ出し、液を無駄にすることがあった。
【０００６】
そこで本発明は、上記従来技術における課題を解消し、ノズルヘッドからの距離を一定に保持でき、しかも襟部分など薄片の縁部に効率よく噴霧できる噴霧器用フードを提供することを目的とする。
【課題を解決するための手段】
【０００７】
上記技術的課題を解決する本発明の内、請求項１記載の発明は、噴霧器のノズルヘッドに外嵌組付きする取付部と、取付部から先端開口部に向かってラッパ状に拡径しているフード部と、先端開口部に、薄片を挟みノズルヘッドの前面に薄片を配置する挟持部とを設けてフードを構成したことにある。
【０００８】
フード前面に設けられた挟持部にシャツの襟部分などの薄片を挟み噴霧器のノズルヘッドのノズルから内容液を噴霧すると、内容液は、フード部により、周囲に不要に飛散することなく、襟部分のみに付着される。噴霧しながら挟持部内でシャツを移動させたり、噴霧器を襟部分に沿って移動させることにより連続して噴霧できる。
【０００９】
請求項２記載の発明は、請求項１記載の発明の構成の挟持部に噴霧液を通過させる開口窓を形成した。開口窓は、ノズルヘッドから噴霧される内容液の通過を遮ることのないようフード部の開口部と同等以上の充分な面積を持たせる。
【００１０】
請求項３記載の発明は、請求項２記載の発明の構成において、挟持部を構成する第一押え板と第二押え板との間の下部にガイド溝を設けた。ガイド溝は、第一押え板と、第二押え板と、第一押え板と第二押え板とを下部で連結する連結片によりＵ字状に形成される溝からなる。このガイド溝に従ってシャツの襟部分など薄片を移動させたり、噴霧器を襟部分に沿って移動する。
【００１１】
第一押え板と第二押え板とは平行であることが好ましく、第一押え板と第二押え板との間隔は、噴霧対象に応じて適宜設定し、挟持部は基本的には噴霧対象を移動可能に挟持するが、一時的に噴霧対象を挟持部に固定する機構を有してもよい。
【００１２】
請求項４に記載の発明は、請求項１〜３に記載の発明の構成において、挟持部を噴霧器に対して回動自在とした。両者間を回動自在とする機構は、ノズルヘッドと取付部との間、取付部とフード部との間、フード部と挟持部との間のいずれかに設けることとする。
【発明の効果】
【００１３】
本発明は、上記した構成となっているので、以下に示す効果を奏する。
【００１４】
請求項１記載の発明にあっては、挟持部に噴霧対象である薄片を挟みノズルヘッドから噴霧した内容液を付着することができる。したがって内容液を、周囲に不要に飛散させることなく、挟持部に挟持した薄片の所定箇所に正確に噴霧することができる。
【００１５】
請求項２記載の発明にあっては、フード部に設けられた挟持部を壁などに押し当て噴霧することにより噴霧対象から一定の距離を保持して内容液を噴霧できる。
【００１６】
請求項３記載の発明にあっては、ガイド溝に沿ってシャツの襟部分など薄片を移動したり、ガイド溝に従い薄片の縁に沿って噴霧器を移動できる。これにより、噴霧液を無駄なく、しかも縁に沿って均一な濃度で噴霧できる。
【００１７】
請求項４記載の発明にあっては、挟持部を回動させてガイド溝を所定の向きに設定し、薄片に沿って任意な方向に移動させて噴霧できる。
【発明を実施するための最良の形態】
【００１８】
以下、本発明にかかるフードの一実施形態を、図面を参照しながら説明する。
【００１９】
図１および図２に示すように、本発明にかかるフード１を組付ける噴霧器１１は、引き金状のトリガー１３を有するトリガー式噴霧器となっており、噴霧すべき内容液を収納した容器体１４の上端開口部に、組付けキャップ１５により組付けられている。
【００２０】
フード１は、噴霧器１１の、ノズルを開設したノズルヘッド１２に組み付けられる筒状構造をした取付部９と、取付部９に連続して基端開口部２から、噴霧された内容液の噴出口となる先端開口部３に向かって、ラッパ状に拡径したテーパー筒構造のフード部１０と、フード部１０の先端に設けられた挟持部４とから構成されている。
【００２１】
挟持部４は、図３にも示すように先端開口部３の端面周囲に設けられた第一押え板５と、第一押え板５と平行で、下部で連結片１６により連結された第二押え板６からなり、第一押え板５の前方に配置された第二押え板６には四方を枠状に残して中央部分に開口窓８が形成してある。開口窓８は、ノズルヘッド１２からの噴霧内容液が第二押え板６に遮られることがないようにフード部１０の開口部７と同面積以上の充分な広さに形成してある。
【００２２】
連結片１６は、開口部７及び開口窓８の下端より下部に設けてあり、第一押え板５及び第二押え板６の下部壁面と連結片１６とでＵ字状のガイド溝を形成している。
【００２３】
フード部１０は、単に噴霧内容液が散布対象面以外の周囲に広く飛散するのを防止したい場合には、基端開口部２から先端開口部３に向かう拡径程度の開角角度が、噴霧内容液の噴射角と等しいか、僅かに大きくなった円錐台筒形状とするのがよい。
【００２４】
取付部９は、ノズルヘッド１２の外周面と同じ形状および大きさの内周面を備え、ノズルヘッド１２に容易に外れないように、かつ脱着可能に嵌着してある。更に、取付部９とその先方のフード部１０との間には回動機構が設けてあり、両者間は回動自在で、かつ適度な抵抗感で所定の角度で止まるようになっている。尚この他、ノズルヘッド１２に対して取付部９を組み付け可能にするとともに回動自在としたり、あるいはフード部１０と挟持部４との間に回動機構を設けることがある。
【００２５】
フード１を取り付けた容器体１４の使用法について説明する。
【００２６】
図１に、壁面２０に内容液を噴霧する例を示す。この例の場合は、挟持部４の第二押え板６を壁面２０に押し当てトリガー１３を引き内容液を噴霧する。ノズルヘッド１２から噴霧された液は、第二押え板６に形成された開口窓８を通して壁面２０の表面に付着される。壁面２０の表面に広く噴霧する場合には、第二押え板６を壁面２０に当てた状態、あるいは少し離した状態で移動させながら噴霧を行う。
【００２７】
これにより、ノズルヘッド１２と壁面２０との間隔を一定に保持した状態で内容液を噴霧できる。尚、第二押え板６の表面に突起等を設け、かかる突起を介して壁面２０等に押し当てるようにしてもよい。すると両者間の接触面積を小さくできる。
【００２８】
また薄片としてのシャツ２２の襟部分２３などに糊付けのための糊を付着させるには、図２や図３に示すように第一押え板５と第二押え板６との間に襟部分２３を差し入れ、図２に示すように襟部分２３に沿って容器体１を移動させたり、あるいは図３に示すように挟持部４内で襟部分２３を移動させながら内容液である糊を噴霧する。
【００２９】
このように糊を噴霧することにより、噴霧された糊を全て襟部分２３に付着させ内容液の無駄を防止でき、しかも襟部分２３の全体に付着残しがなく均一な濃度で噴霧できる。
【００３０】
尚、開口部８及びフード部１０は上記例に限らず、噴霧内容液の散布規整形態に応じて、その開口形状や筒形状を、円形、楕円形、正方形、長方形等の所望する形状、また開角角度とすることができる。更に薄片としてはシャツ２２など布製品に限らず、板材、金属板、樹脂板、フィルム材等でよく、かつ形状や厚さ、可撓性なども問わない。噴霧器１２は、トリガー方式でなく、他の噴霧方式でもよい。
【図面の簡単な説明】
【００３１】
【図１】本発明のフードを組み付けた噴霧器付き容器体を示す部分断面図である。
【図２】図１に示した容器体の斜視図である。
【図３】図１に示した容器体の全体外観斜視図である。
【符号の説明】
【００３２】
１    ；  フード
２    ；  基端開口部
３    ；  先端開口部
４    ；  挟持部
５    ；  第一押え板
６    ；  第二押え板
７    ；  開口部
８    ；  開口窓
９    ；  取付部
１０  ；  フード部
１１  ；  噴霧器
１２  ；  ノズルヘッド
１３  ；  トリガー
１４  ；  容器体
１５  ；  組付けキャップ
１６  ；  連結片
２０  ；  壁面
２２  ；  シャツ
２３  ；  襟部分
【図１】
2005279407.tif 000003
【図２】
2005279407.tif 000004
【図３】
2005279407.tif 000005